(57)【要約】【課題】  従来の印刷装置では、様々な種別の電子機器に対応して適切に省エネルギー処理を実行するようなことは実現されていなかった。【解決手段】  無線で印刷情報のデジタルデータを送受信できる無線インタフェースをもつ印刷装置で、無線ユニットは、所定のタイミング毎に所定の時間間隔で受信する手段を有し、前記受信する信号強度を少なくとも複数レベルで段階的に数値化する受信レベル検知手段を有し、前記判別した“複数回の同一端末装置から受信した前記受信レベル情報（省電力判断情報）”を他の少なくとも省電力を管理し、前記印刷装置と通信可能なインタフェースを持つ装置に前記受信した時の実時間情報とともに送信する手段を有し、前記省電力管理装置からの“印刷レディ状態”又は“省電力状態”への遷移コマンドを受信したならその状態へ遷移することを特徴とする。【選択図】        図９
2006068995.tif 000002
【特許請求の範囲】
【請求項１】
無線で印刷情報のデジタルデータを送受信できる無線インタフェースをもつ情報端末装置と通信できる無線インタフェースを具備する印刷装置において、前記印刷装置の無線ユニットは、所定のタイミング毎に所定の時間間隔で受信する手段を有し、前記受信する信号強度を少なくとも複数レベルで段階的に数値化する受信レベル検知手段を有し、前記判別した“複数回の同一端末装置から受信した前記受信レベル情報（省電力判断情報）”を他の少なくとも省電力を管理し、前記印刷装置と通信可能なインタフェースを持つ装置に前記受信した時の実時間情報とともに送信する手段を有し、前記省電力管理装置からの“印刷レディ状態”又は“省電力状態”への遷移コマンドを受信したならその状態へ遷移することを特徴とする印刷装置。
【請求項２】
請求項１に記載の印刷装置と通信可能なインタフェースを持つ、少なくとも省電力を管理する装置（以下、省電力管理装置と記述）は、前記省電力判断情報を前記印刷装置から受信する手段を有し、前記省電力判断情報を分析する手段を有し、“より安定した”、“より近い”又は“より近くなる”と判断した場合に印刷レディ状態に遷移するコマンドを送信することを特徴とする印刷装置の電源制御方法。
【請求項３】
請求項１に記載の印刷装置と通信可能なインタフェースを持つ、少なくとも省電力を管理する省電力管理装置は、前記省電力判断情報を前記印刷装置から受信する手段を有し、前記省電力判断情報を分析する手段を有し、“より安定しない”、“より遠い”又は“より遠くなる”と判断した場合に、その該当する印刷装置に対し、スリープ状態に遷移するコマンドを送信することを特徴とする印刷装置の電源制御方法。
【請求項４】
請求項１に記載の印刷装置と通信可能なインタフェースを持つ、少なくとも省電力を管理する省電力管理装置は、前記省電力判断情報を前記印刷装置から受信する手段を有し、前記省電力判断情報を分析する手段を有し、複数の前記印刷装置において同等と前記分析した場合に前記省電力管理装置が判断する任意の印刷装置１台以上に印刷レディ状態に遷移するコマンドを送信することを特徴とする印刷装置の電源制御方法。
【請求項５】
請求項１に記載の印刷装置は、インタフェースを介して、所定のタイミング毎に前記省電力管理装置を検出する手段を有し、検出できなかった場合に、当該印刷装置は、前記情報端末装置との印刷データ通信が可能かを判断する手段を有し、可能と判断した場合に印刷レディ状態に遷移し、不可能と判断した場合に所定時間後、省電力状態に遷移することを特徴とする印刷装置の電源制御方法。
【請求項６】
請求項１に記載の印刷装置は、前記受信レベル検知手段動作の所定時間間隔をより短くする手段を有し、通信可能な情報端末装置を確認した場合に、前記検知手段動作の前記時間間隔をより短くして、前記受信レベルを検知し、省電力情報を作成することを特徴とする印刷装置の電源制御方法。
【請求項７】
請求項１に記載の印刷装置と通信可能なインタフェースを持つ、少なくとも省電力を管理する省電力管理装置は、前記省電力判断情報を前記印刷装置から受信する手段を有し、前記省電力判断情報を分析する手段を有し、複数の前記印刷装置において同等と判断した場合に前記省電力管理装置が判断する任意の印刷装置１台以上に印刷レディ状態に遷移するコマンドを送信し、他の印刷装置にスリープ状態に遷移するコマンドを送信することを特徴とする印刷装置の電源制御方法。
【請求項８】
請求項１に記載の印刷装置において、前記判別した省電力判断情報は少なくとも１回分の受信した実時間情報と前記受信レベル情報を含み、かつ更に１回分以上の前記受信レベル情報に対する差分情報を含むことを特徴とするプログラム。
【発明の詳細な説明】
【技術分野】
【０００１】
本発明は、無線データ伝送により情報端末装置との間のデータ通信を行う無線インタフェース部と、前記情報端末装置送信データ受信時の信号強度を複数レベルで段階的に数値化する受信レベル検知部と、前記無線インタフェース部により受信した印刷データを処理するデータ処理部と、前記データ処理部により処理されたデータを印刷するエンジンとを備える印刷装置および印刷装置の電源制御方法並びにプログラムに関するものである。
【背景技術】
【０００２】
近年、様々な技術分野で環境を意識した技術が飛躍的に進展している。その一環として印刷装置における省エネルギー技術が挙げられる。そして、そのような技術として、特許文献１には、携帯用のポータブルプリンタにおいて、上位装置からプリンタに対して印刷データが一定時間入力されない場合にプリンタ側での省電力処理が実行される発明が開示されている。また、特許文献２にはネットワーク上で起動（電源ＯＮ）されたホストコンピュータに連動して自動的にプリンタが連動することが、また、ホストコンピュータの電源ＯＦＦに連動して自動的にプリンタが停止する発明が開示されている。特許文献３には、無線を介して周囲の機器をセンスし、自装置にデータを送ってくる可能性のある装置があるかどうかを調べ、そのセンス結果に応じて電源のＯＦＦや電源のスリープ状態の移行への制御を行う仕組みが開示されている。
【０００３】
一方、近年におけるコンピュータ技術や通信技術の発展にも著しいものがあり特にＩＥＥＥ８０２．１１ｂ、Ｂｌｕｅｔｏｏｔｈ（登録商標）などの無線通信技術の発展が著しく、そのような無線技術に対応したような家電製品、印刷装置等の事務機器なども普及しつつある。
【特許文献１】特開平０５−３４２３８８号公報
【特許文献２】特開平０９−１９０２４６号公報
【特許文献３】特開平０９−０８１２７８号公報
【発明の開示】
【発明が解決しようとする課題】
【０００４】
しかしながら、無線通信を利用した印刷データの送信を想定した場合、印刷装置に対して印刷を実行させる機能を有する端末機器は予め定まったものとは限らず、不特定に変動する可能性があり、そのようなことは従来では想定されていなかった。
【０００５】
更に、無線通信機能を有した電子機器は様々な種別のものが想定され、印刷装置と無線通信可能な電子機器の全てが該印刷装置に対して印刷を実行させる機能を備えたものとは限らない。従来の印刷装置では、そのような様々な種別の電子機器に対応して適切に省エネルギー処理を実行するようなことは実現されていなかった。
【０００６】
また、特許文献３には無線印刷装置における電力制御の仕組みが開示されているものの、自装置の周囲の環境に柔軟に対応すると言う点ではまだまだ改善の余地はある。
【０００７】
本発明は、上記の問題点を解決するためになされたもので、無線インタフェースを持つ情報端末装置と通信可能な印刷装置と該印刷装置を省電力制御する省電力制御装置において、周囲の様々な環境に対応して消費電力を大幅に節減できる印刷装置および印刷装置の電源制御方法並びにプログラムを提供することである。
【課題を解決するための手段】
【０００８】
この発明は下記の構成を備えることにより上記課題を解決できるものである。
【０００９】
請求項１に記載の印刷装置は、
電波で印刷情報のデジタルデータを送受信できる無線インタフェースをもつ情報端末装置と通信できる無線インタフェースを具備する印刷装置において、前記印刷装置の無線ユニットは、所定のタイミング毎に所定の時間間隔で受信する手段を有し、前記受信する信号強度を少なくとも複数レベルで段階的に数値化する受信レベル検知手段を有し、前記判別した“複数回の同一端末装置から受信した前記受信レベル情報（省電力判断情報）”を他の少なくとも省電力を管理し、前記印刷装置と通信可能なインタフェースを持つ装置に前記受信した実時間情報とともに送信する手段を有し、前記省電力管理装置からの“印刷レディ状態”又は“省電力状態”への遷移コマンドを受信したならその状態へ遷移することを特徴とする。
【００１０】
請求項２に記載の省電力管理装置は、
前記省電力判断情報を前記印刷装置から受信する手段を有し、前記省電力判断情報を分析する手段を有し、“より安定した”、“より近い”又は“より近くなる”と判断した場合に印刷レディ状態に遷移するコマンドを送信することを特徴とする。
【００１１】
請求項３に記載の省電力管理装置は、
前記省電力判断情報を前記印刷装置から受信する手段を有し、前記省電力判断情報を分析する手段を有し、“より安定しない”、“より遠い”又は“より遠くなる”と判断した場合に、その該当する印刷装置に対し、スリープ状態に遷移するコマンドを送信することを特徴とする。
【００１２】
請求項４に記載の省電力管理装置は、
前記省電力判断情報を前記印刷装置から受信する手段を有し、前記省電力判断情報を分析する手段を有し、複数の前記印刷装置において同等と前記分析した場合に前記省電力管理装置が判断する任意の印刷装置１台以上に印刷レディ状態に遷移するコマンドを送信することを特徴とする。
【００１３】
請求項５に記載の印刷装置は、
インタフェースを介して、所定のタイミング毎に前記省電力管理装置を検出する手段を有し、検出できなかった場合に、当該印刷装置は、前記情報端末装置との印刷データ通信が可能かを判断する手段を有し、可能と判断した場合に印刷レディ状態に遷移し、不可能と判断した場合に所定時間後、省電力状態に遷移することを特徴とする。
【００１４】
請求項６に記載の印刷装置は、
前記受信レベル検知手段動作の所定時間間隔をより短くする手段を有し、通信可能な情報端末装置を確認した場合に、前記検知手段動作の前記時間間隔をより短くして、前記受信レベルを検知し、省電力情報を作成することを特徴とする。
【００１５】
請求項７に記載の省電力管理装置は、
前記省電力判断情報を前記印刷装置から受信する手段を有し、前記省電力判断情報を分析する手段を有し、複数の前記印刷装置において同等と判断した場合に前記省電力管理装置が判断する任意の印刷装置１台以上に印刷レディ状態に遷移するコマンドを送信し、他の印刷装置にスリープ状態に遷移するコマンドを送信することを特徴とする。
【００１６】
請求項８に記載の印刷装置は、
前記判別した省電力判断情報は少なくとも１回分の受信した実時間情報と前記受信レベル情報を含み、かつ更に１回分以上の前記受信レベル情報に対する差分情報を含むことを特徴とする。
【発明の効果】
【００１７】
本実施例によれば、当該プリンタがＮｅｔｗｏｒｋを介して他の同種のプリンタと受信レベル情報を交換し、分析することで、通信可能な情報端末装置に対して、より安定したかつ／又はより近い当該プリンタを印刷レディに遷移せしめることができ、システム全体かつ／又は当該プリンタをより省電力に制御できる。
【発明を実施するための最良の形態】
【００１８】
以下本発明を実施するための最良の形態を、実施例により詳しく説明する。
【実施例】
【００１９】
図１は、本実施例におけるシステム構成図、図２は、本実施例における情報端末装置の内部構成、図３は、本実施例におけるプリンタの内部構成、図４は、本実施例においてプリンタが判定する受信レベルの詳細を示す。
【００２０】
図５は、本実施例のプリンタにおける“定着ローラに組み込まれたヒータによる印刷画像の定着”を示す。図６は、本実施例のプリンタ内定着ローラの温度変化を示す。図７は、本実施例の省電力制御装置の内部構成を示す。図８は、プリンタ内制御部（３０）の印刷レディ遷移への判断基準である。
【００２１】
図９は、本実施例のプリンタ内制御部（３０）の動作を示すフローチャート、図１０は、本実施例の情報端末装置内ＣＰＵ（２０）の動作を示すフローチャート、図１１は、本実施例の省電力制御装置内ＣＰＵ（８０）の動作を示すフローチャートである。
【００２２】
図９を用いて、本実施例のプリンタ（１１）の動作について説明する。
【００２３】
当該プリンタ（図１の１１と１２）は、所謂電波時計の機能を有し、無線Ｉ／Ｆ（３７）を介して時計情報を１時間毎に受信し、プリンタ内の時計機能を正確に保つ機能を有している。また、Ｓ１３０３の２分間毎タイマー割り込みは、それぞれの前記正確な時計機能の実時間を元にあらかじめ決められ設定された他の同種の印刷装置とまったく同じタイミングで、１回目、２回目と発生するものとする。
【００２４】
Ｓ１３０１において、電源部にＡＣ電源が供給される。
【００２５】
Ｓ１３０２では、定着ヒータ電源供給（３６）以外のプリンタ内全てに電源が供給される。その後、制御部（３０）によって電源供給されている全ての部分に初期設定が実行される。
【００２６】
Ｓ１３０３では、２分毎のタイマー割り込みが発生したか否かを判断する。ＹＥＳならＳ１３０４に遷移し、ＮＯならＳ１３０３に戻る。Ｓ１３０４において、プリンタは、プリンタへの印刷データ送信機能のある情報端末装置を無線Ｉ／Ｆ（３７）を介して問い合わせる。Ｓ１３０５において、プリンタは、無線Ｉ／Ｆ（３７）を介して受信し、前記情報端末装置が、存在するかをチェックする。Ｓ１３０６において、プリンタは、前記受信レベルの判断処理を行う（図４）。Ｓ１３０７において、プリンタは、同一の情報端末を“プリンタへの印刷データ送信機能のある情報端末装置”として前記所定のタイミングで１回目、２回目と連続して２回検出したか否かを判断する。ＮＯならＳ１３０３に遷移し、ＹＥＳならＳ１３０８に遷移する。Ｓ１３０８で、プリンタは前記連続して受信した２回の受信レベルを図４の判定受信レベルで、受信した実時間とともに記憶する。Ｓ１３０９で、プリンタは、ネットワークＩ／Ｆ（３Ｆ）を介して、省電力管理装置に対し、“所定の時間間隔で連続受信した２回分の受信レベルとその受信時の実時間（省電力判断情報）”を送信する。Ｓ１３１０で、プリンタは、ネットワークＩ／Ｆ（３Ｆ）を介して、“省電力管理装置から印刷レディへ遷移ＯＫの返事を受信したか？”を判断する。ＮＯならＳ１３１６に、ＹＥＳならＳ１３１１に遷移する。Ｓ１３１６においてプリンタは、“印刷レディへ遷移ＯＫ”の返事待ちで１０分経過したか？を判断する。ＹＥＳならＳ１３０３に遷移し、ＮＯならＳ１３０９に戻る。Ｓ１３１１でプリンタは、定着ヒータへの電源供給（３６）をＯＮして、図６に示す印刷可能温度に制御することで、“直ちに印刷可能なモード”である印刷レディ状態にし、Ｓ１３１２へ遷移する。Ｓ１３１２でプリンタは、対象の情報端末装置に対し、印刷レディ状態であることを通知し、Ｓ１３１３に遷移する。Ｓ１３１３で、プリンタは、情報端末装置から無線Ｉ／Ｆ（３７）を介して印刷データの受信有無を判断する。ＮＯならＳ１３１５に、ＹＥＳならＳ１３１４に遷移する。Ｓ１３１５でプリンタは、情報端末装置から無線Ｉ／Ｆを介して印刷データ受信待ちで１０分以上経過したかを判断する。ＮＯならＳ１３１３に戻り、ＹＥＳならＳ１３０２に遷移する。Ｓ１３１４でプリンタは印刷処理を行ってＳ１３０２に戻る。
【００２７】
図１０を用いて、情報端末装置（ＰＤＡ）の動作について順次説明する。
【００２８】
Ｓ１４０１で情報端末装置は、電源スイッチ（２Ａ）がオンされ、全ての内部ユニットに電源が供給され、Ｓ１４０２に遷移する。Ｓ１４０２で情報端末装置は、ＣＰＵ（２０）によって情報端末装置内全てのユニットに対し初期設定が実行され、Ｓ１４０３に遷移する。Ｓ１４０３で、情報端末装置は、プリンタから無線Ｉ／Ｆ（２６）を介して、“印刷データ送信機能のある情報端末装置の問い合わせ”があったかを判断する。ＮＯならＳ１４０３に戻り、ＹＥＳならＳ１４０４に遷移する。Ｓ１４０４で情報端末装置は、“印刷データ送信機能のある情報端末装置”である旨の情報を送信し、Ｓ１４０５に遷移する。Ｓ１４０５で情報端末装置は、同一プリンタに対して２回以上“印刷データ送信機能のある情報端末装置”である旨の情報を送信したかを判断する。ＮＯならＳ１４０３に戻り、ＹＥＳならＳ１４１２に遷移する。Ｓ１４１２で情報端末装置は、前記２回以上送信したプリンタから“印刷レディである旨の情報”を受信したか否かを判断する。ＮＯならＳ１４１１に遷移し、ＹＥＳならＳ１４０６に遷移する。Ｓ１４１１で情報端末装置は、“印刷レディ”待ちになってから１０分経過したかを判断する。ＹＥＳならＳ１４１３に遷移し、ＮＯならＳ１４１２に戻る。Ｓ１４０６で情報端末装置は、表示部（２２）に“近くに印刷可能なプリンタがあります。”を表示し、Ｓ１４０７に遷移する。Ｓ１４０７で情報端末装置は、自身の操作者によって印刷開始の指示が出されたか否かをＫｅｙｂｏａｒｄ（２３）をセンスすることで判断する。ＮＯならＳ１４０９に遷移し、ＹＥＳならＳ１４０８に遷移する。Ｓ１４０９で情報端末装置は、印刷開始の指示待ちになってから１０分以上経過したかを判断する。ＮＯならＳ１４０７に戻り、ＹＥＳならＳ１４１０に遷移する。Ｓ１４１０で情報端末装置は、表示部に表示されている“近くに印刷可能なプリンタがあります。”を消し、Ｓ１４１３に遷移する。
【００２９】
Ｓ１４１３で情報端末装置は、Ｓ１４０３以降の処理状態を初期設定値に戻し、Ｓ１４０３に遷移する。
【００３０】
Ｓ１４０８で情報端末装置は、該当する印刷データを送信し、Ｓ１４０７に戻る。
【００３１】
図１１を用いて、省電力制御装置の動作について順次説明する。
【００３２】
Ｓ１５０１で省電力制御装置は、電源スイッチ（８９）がオンされ、装置内全ての内部ユニットに電源が供給され、Ｓ１５０２に遷移する。Ｓ１５０２で省電力制御装置は、装置内全ての内部ユニットに対して、初期設定を実行する。Ｓ１５０３で省電力制御装置は、Ｎｅｔｗｏｒｋ（１４）に接続されている無線Ｉ／Ｆ付プリンタから“省電力判断情報”を受信したか？を判断する。ＮＯならＳ１５０３へＹＥＳならＳ１５０４へ遷移する。Ｓ１５０４で省電力制御装置は、“省電力判断情報”を１０ｍ秒間受信したか？を判断する。ＮＯならＳ１５０３に、ＹＥＳならＳ１５０５に遷移する。Ｓ１５０５で省電力制御装置は、受信した“省電力判断情報”の分析処理を行い、Ｓ１５０６に遷移する。Ｓ１５０６で省電力制御装置は、最初に“省電力判断情報”を受信したプリンタのその分析結果を判断する。“省電力モードへの遷移コマンド発行”と判断したら、Ｓ１５１１へ遷移する。“印刷レディモードへの遷移コマンド発行”と判断したら、Ｓ１５０７へ遷移する。Ｓ１５１１で省電力制御装置は、該当プリンタに対し、省電力モードへの遷移コマンドを送信し、Ｓ１５０８へ遷移する。Ｓ１５０７で省電力制御装置は、該当プリンタに対し、印刷レディへの遷移コマンドを送信し、Ｓ１５０８へ遷移する。Ｓ１５０８で省電力制御装置は、２番目に“省電力判断情報”を受信したプリンタのその分析結果を判断する。“省電力モードへの遷移コマンド発行”と判断したら、Ｓ１５１２へ遷移する。“印刷レディモードへの遷移コマンド発行”と判断したら、Ｓ１５０９へ遷移する。Ｓ１５１２で省電力制御装置は、該当プリンタに対し、省電力モードへの遷移コマンドを送信し、Ｓ１５０９の終了後へ遷移する。Ｓ１５０９で省電力制御装置は、該当プリンタに対し、印刷レディへの遷移コマンドを送信する。その後、受信した“省電力判断情報”があれば、Ｓ１５０８、Ｓ１５１２、Ｓ１５０９と同様の処理をおこなう。受信した“省電力判断情報”がなければＳ１５０２へ戻る。
【００３３】
図９、１０、１１を元に本実施例のシステムとしての動作について順次説明していく。
【００３４】
Ｓ１３０１において、プリンタの電源部にＡＣ電源が供給される。Ｓ１３０２でプリンタは、定着ヒータ電源供給（３６）以外のプリンタ内全てに電源が供給される。その後、制御部（３０）によって電源供給されている全ての部分に初期設定が実行される。Ｓ１４０１で情報端末装置は、電源スイッチ（２Ａ）がオンされ、全ての内部ユニットに電源が供給され、Ｓ１４０２に遷移する。Ｓ１５０１で省電力制御装置は、電源スイッチ（８９）がオンされ、装置内全ての内部ユニットに電源が供給され、Ｓ１５０２に遷移する。Ｓ１４０２で情報端末装置は、ＣＰＵ（２０）によって情報端末装置内全てのユニットに対し初期設定が実行され、Ｓ１４０３に遷移する。Ｓ１５０２で省電力制御装置は、装置内全ての内部ユニットに対して、初期設定を実行する（システム全体に電源が供給され、それぞれの装置内で初期設定が実行される）。
【００３５】
Ｓ１３０３でプリンタは、２分毎のタイマー割り込みが発生したか否かを判断する。ＹＥＳならＳ１３０４に遷移し、ＮＯならＳ１３０３に戻る。Ｓ１３０４において、プリンタは、プリンタへの印刷データ送信機能のある情報端末装置を無線Ｉ／Ｆ（３７）を介して問い合わせる。Ｓ１４０３で、情報端末装置は、プリンタから無線Ｉ／Ｆ（２６）を介して、“印刷データ送信機能のある情報端末装置の問い合わせ”があったかを判断する。ＮＯならＳ１４０３に戻り、ＹＥＳならＳ１４０４に遷移する。Ｓ１４０４で情報端末装置は、“印刷データ送信機能のある情報端末装置”である旨の情報を送信し、Ｓ１４０５に遷移する。Ｓ１４０５で情報端末装置は、同一プリンタに対して２回以上“印刷データ送信機能のある情報端末装置”である旨の情報を送信したかを判断する。ＮＯならＳ１４０３に戻り、ＹＥＳならＳ１４１２に遷移する。
【００３６】
Ｓ１３０５において、プリンタは、無線Ｉ／Ｆ（３７）を介して受信し、前記情報端末装置が、存在するかをチェックする。Ｓ１３０６において、プリンタは、前記受信レベルの判断処理を行う（図４）。Ｓ１３０７において、プリンタは、同一の情報端末を“プリンタへの印刷データ送信機能のある情報端末装置”として前記所定のタイミングで１回目、２回目と連続して２回検出したか否かを判断する。ＮＯならＳ１３０３に遷移し、ＹＥＳならＳ１３０８に遷移する。Ｓ１３０８で、プリンタは前記連続して受信した２回の受信レベルを図４の判定受信レベルで、受信した実時間とともに記憶する。Ｓ１３０９で、プリンタは、ネットワークＩ／Ｆ（３Ｆ）を介して、省電力管理装置に対し、“所定の時間間隔で連続受信した２回分の受信レベルとその受信時の実時間（省電力判断情報）”を送信する。
【００３７】
Ｓ１５０３で省電力制御装置は、Ｎｅｔｗｏｒｋ（１４）に接続されている無線Ｉ／Ｆ付プリンタから“省電力判断情報”を受信したか？を判断する。ＮＯならＳ１５０３へＹＥＳならＳ１５０４へ遷移する。Ｓ１５０４で省電力制御装置は、“省電力判断情報（所定時間の連続２回受信分）”を１０ｍ秒間受信したか？を判断する。ＮＯならＳ１５０３に、ＹＥＳならＳ１５０５に遷移する。
【００３８】
Ｓ１５０５で省電力制御装置は、受信した“省電力判断情報”の分析処理を行い、Ｓ１５０６に遷移する。Ｓ１５０６で省電力制御装置は、最初に“省電力判断情報”を受信したプリンタのその分析結果を判断する。“省電力モードへの遷移コマンド発行”と判断したら、Ｓ１５１１へ遷移する。“印刷レディモードへの遷移コマンド発行”と判断したら、Ｓ１５０７へ遷移する。Ｓ１５１１で省電力制御装置は、該当プリンタに対し、省電力モードへの遷移コマンドを送信し、Ｓ１５０８へ遷移する。Ｓ１５０７で省電力制御装置は、該当プリンタに対し、印刷レディへの遷移コマンドを送信し、Ｓ１５０８へ遷移する。Ｓ１５０８で省電力制御装置は、２番目に“省電力判断情報”を受信したプリンタのその分析結果を判断する。“省電力モードへの遷移コマンド発行”と判断したら、Ｓ１５１２へ遷移する。“印刷レディモードへの遷移コマンド発行”と判断したら、Ｓ１５０９へ遷移する。Ｓ１５１２で省電力制御装置は、該当プリンタに対し、省電力モードへの遷移コマンドを送信し、Ｓ１５０９の終了後へ遷移する。Ｓ１５０９で省電力制御装置は、該当プリンタに対し、印刷レディへの遷移コマンドを送信する。その後、受信した“省電力判断情報”があれば、Ｓ１５０８、Ｓ１５１２、Ｓ１５０９と同様の処理をおこなう。受信し“省電力判断情報”がなければＳ１５０２へ戻る。
【００３９】
Ｓ１３１０で、プリンタは、ネットワークＩ／Ｆ（３Ｆ）を介して、“省電力管理装置から印刷レディへ遷移ＯＫの返事を受信したか？”を判断する。ＮＯならＳ１３１６に、ＹＥＳならＳ１３１１に遷移する。Ｓ１３１６においてプリンタは、“印刷レディへ遷移ＯＫ”の返事待ちで１０分経過したか？を判断する。ＹＥＳならＳ１３０３に遷移し、ＮＯならＳ１３０９に戻る。
【００４０】
Ｓ１３１１でプリンタは、定着ヒータへの電源供給（３６）をＯＮして、図６に示す印刷可能温度に制御することで、“直ちに印刷可能なモード”である印刷レディ状態にし、Ｓ１３１２へ遷移する。Ｓ１３１２でプリンタは、対象の情報端末装置に対し、印刷レディ状態であることを通知し、Ｓ１３１３に遷移する。
【００４１】
Ｓ１４１２で情報端末装置は、前記２回以上送信したプリンタから“印刷レディである旨の情報”を受信したか否かを判断する。ＮＯならＳ１４１１に遷移し、ＹＥＳならＳ１４０６に遷移する。Ｓ１４１１で情報端末装置は、“印刷レディ”待ちになってから１０分経過したかを判断する。ＹＥＳならＳ１４１３に遷移し、ＮＯならＳ１４１２に戻る。Ｓ１４０６で情報端末装置は、表示部（２２）に“近くに印刷可能なプリンタがあります。”を表示し、Ｓ１４０７に遷移する。
【００４２】
Ｓ１４０７で情報端末装置は、自身の操作者によって印刷開始の指示が出されたか否かをＫｅｙｂｏａｒｄ（２３）をセンスすることで判断する。ＮＯならＳ１４０９に遷移し、ＹＥＳならＳ１４０８に遷移する。Ｓ１４０９で情報端末装置は、印刷開始の指示待ちになってから１０分以上経過したかを判断する。ＮＯならＳ１４０７に戻り、ＹＥＳならＳ１４１０に遷移する。Ｓ１４１０で情報端末装置は、表示部に表示されている“近くに印刷可能なプリンタがあります。”を消し、Ｓ１４１３に遷移する。
【００４３】
Ｓ１４１３で情報端末装置は、Ｓ１４０３以降の処理状態を初期設定値に戻し、Ｓ１４０３に遷移する。
【００４４】
Ｓ１４０８で情報端末装置は、該当する印刷データを送信し、Ｓ１４０７に戻る。
【００４５】
Ｓ１３１３で、プリンタは、情報端末装置から無線Ｉ／Ｆ（３７）を介して印刷データの受信有無を判断する。ＮＯならＳ１３１５に、ＹＥＳならＳ１３１４に遷移する。Ｓ１３１５でプリンタは、情報端末装置から無線Ｉ／Ｆを介して印刷データ受信待ちで１０分以上経過したかを判断する。ＮＯならＳ１３１３に戻り、ＹＥＳならＳ１３０２に遷移する。Ｓ１３１４でプリンタは印刷処理を行ってＳ１３０２に戻る。
【図面の簡単な説明】
【００４６】
【図１】本実施例におけるシステム構成図である。
【図２】本実施例における情報端末装置の内部構成を示す図である。
【図３】本実施例におけるプリンタの内部構成図を示すである。
【図４】本実施例においてプリンタが判定する受信レベルの詳細を示す図である。
【図５】本実施例のプリンタにおける“定着ローラに組み込まれたヒータによる印刷画像の定着”を示す図である。
【図６】本実施例のプリンタ内定着ローラの温度変化を示す図である。
【図７】本実施例の省電力制御装置の内部構成を示す図である。
【図８】本実施例のプリンタ内制御部（３０）の印刷レディ遷移への判断基準を示す図である。
【図９】本実施例のプリンタ内制御部（３０）の動作を示すフローチャートである。
【図１０】本実施例の情報端末装置内ＣＰＵ（２０）の動作を示すフローチャートである。
【図１１】本実施例の省電力制御装置内ＣＰＵ（８０）の動作を示すフローチャートである。
【符号の説明】
【００４７】
１１  プリンタ
１４  Ｎｅｔｗｏｒｋ
２０、８０  ＣＰＵ
２２  表示部
２３  Ｋｅｙｂｏａｒｄ
２６、３７  無線Ｉ／Ｆ
２Ａ、８９  電源スイッチ
３０  制御部
３６  定着ヒータ電源供給
３Ｆ  ネットワークＩ／Ｆ
【図１】
2006068995.tif 000003
【図２】
2006068995.tif 000004
【図３】
2006068995.tif 000005
【図４】
2006068995.tif 000006
【図５】
2006068995.tif 000007
【図６】
2006068995.tif 000008
【図７】
2006068995.tif 000009
【図８】
2006068995.tif 000010
【図９】
2006068995.tif 000011
【図１０】
2006068995.tif 000012
【図１１】
2006068995.tif 000013